【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】  防災無線システムの回線割付制御を行うセンタ装置と、指示された回線で相互に通信を行う複数の端末装置とを通信路によって接続されるデジタル防災無線システムであって、
前記センタ装置と前記端末装置との間の通信をデジタル化し、
前記通信路を、前記端末装置に開示する複数の相互通信用チャネルと、前記端末装置に開示しない制御情報用チャネルとによって構成し、
前記制御情報チャネルによって、音声符号化の速度と、通信に使用するチャネル数と、発信者と受信者の方向性とを前記通信路に対し指定し、
複信の通信を実現することを特徴とするデジタル防災無線システム。
【請求項２】  防災無線システムの回線割付制御を行うセンタ装置と、指示された回線で相互に通信を行う複数の端末装置と、によって構成されるデジタル防災無線システムであって、
前記防災無線システムでデジタル化して、周波数とタイムスロットとを組み合わせて複数の通信スロットを構成し、
前記センタ装置が、前記端末装置からの回線要求に対して割り付ける通信回線を、各々の前記端末装置に対応する固有部分と共通部分とにブロック化し、
前記端末装置ごとの回線使用状況を考慮して、前記固有部分の割当部の使用回線が充満した時に、逐次、前記共通部分の回線を前記固有部分の割当部として割り付けることにより、
複信通信を実現することを特徴とするデジタル防災無線システム。
【請求項３】  防災無線システムの回線割付制御を行うセンタ装置と、指示された回線で相互に通信を行う複数の端末装置と、によって構成されるデジタル防災無線システムであって、
前記防災無線システムでデジタル化し、周波数とタイムスロットを組み合わせて複数の通信スロットを構成し、
前記センタ装置が、前記端末装置からの回線要求に対して割り付ける通信回線を、優先度の高い特定の端末装置に割り付ける固定割付部分と、それ以外の端末装置に割り付ける共通割付部分とに分割し、
緊急時には、特定の端末装置は、予め割り付けられた前記固定割付部分の全てを共通部分として使用し、
それ以外の端末装置は、共通割付部分のみを使用することにより、
回線の有効利用を図る回線割り付けを行うことを特徴とするデジタル防災無線システム。
【請求項４】  防災無線システムの回線割付制御を行うセンタ装置と、指示された回線で相互に通信を行う複数の端末装置と、によって構成されるデジタル防災無線システムであって、
前記防災無線システムでデジタル化し、周波数とタイムスロットを組み合わせて複数の通信スロットを構成し、
前記センタ装置が、前記端末装置からの回線要求に対して割り付ける通信回線を各々の前記端末装置に対応する固有部分と、前記端末のうちで優先度の高い特定の端末装置に割り付ける共通部分とにブロック化し、
平常時には、周波数帯を前記特定の端末装置を含むすべての端末装置ごとに分割し、前記すべての端末装置が、各々回線割付を行うための回線制御装置を含む前記センタ装置を用いて、前記すべての端末装置相互間の通信を行い、
前記回線を、緊急時には、前記センタ装置のうち、特定のセンタ装置のみが帯域全体の回線割付を行い、それ以外のセンタ装置は、待機予備として動作するように、割り付けたことを特徴とするデジタル防災無線システム。
【請求項５】  防災無線システムの回線割付制御を行うセンタ装置と、指示された回線で相互に通信を行う複数の端末装置と、によって構成されるデジタル防災無線システムであって、
前記防災無線システムでデジタル化し、
周波数とタイムスロットを組み合わせて複数の通信スロットを構成する通信チャネル内を、前記端末装置の使用分として開示する相互通信情報と、前記端末装置に開示しないシステム使用分である制御情報とに分け、
回線割付制御を行うセンタ装置から指示された回線により、相互に通信を行う複数の前記端末装置への制御情報分に対して、使用スロット数を示す情報を組み込むことを特徴とするデジタル防災無線システム。
【請求項６】  防災無線システムの回線割付制御を行うセンタ装置と、指示された回線で相互に通信を行う複数の端末装置と、によって構成されるデジタル防災無線システムであって、
前記防災無線システムでデジタル化し、
周波数とタイムスロットを組み合わせて複数の通信スロットを構成する通信チャネル内を、前記端末装置の使用分として開示する相互通信情報と、前記端末装置に開示しないシステム使用分である制御情報とに分け、
指示された回線と指示された条件とに基づいて、相互に通信を行う複数の前記端末装置間で、前記制御情報を相互に伝達し、
前記制御情報に、使用スロット数と方向性とを指定して、前記端末装置相互に状態を合わせる回線の有効利用を図り、
回線割り付けをすることを特徴とするデジタル防災無線システム。
【請求項７】  防災無線システムの回線割付制御を行うセンタ装置と、指示された回線で相互に通信を行う複数の端末装置と、によって構成されるデジタル防災無線システムであって、
前記防災無線システムで、前記センタ装置と前記端末装置との間の通信信号をデジタル化し、
制御情報に用いるチャネルと、複数の相互通信に用いるチャネルとで構成し、
前記制御情報に送信する信号の圧縮・伸張の属性を示す情報を伝送し、
状況に応じて情報の緻密さを変化させ、
回線利用効率を引き上げることを特徴とするデジタル防災無線システム。
【請求項８】  防災無線システムの回線割付制御を行うセンタ装置と、指示された回線で相互に通信を行う複数の端末装置と、によって構成されるデジタル防災無線システムであって、
前記防災無線システムで、前記センタ装置と前記端末装置との間の通信信号をデジタル化し、
制御情報に用いるチャネルと、複数の相互通信に用いるチャネルとによって構成し、
前記制御情報に送信する信号の圧縮・伸張の属性を示す情報を伝送し、且つ通信チャネルで音声情報を伝送し、
前記端末装置で受信信号を一次記憶した後、前記制御情報を参照して音質に最適な速度で読み出すことにより、
回線利用効率を引き上げるようにしたことを特徴とするデジタル防災無線システム。
【請求項９】  防災無線システムの回線割付制御を行うセンタ装置と、指示された回線で相互に通信を行う複数の端末装置と、によって構成されるデジタル防災無線システムであって、
前記防災無線システムで、前記センタ装置と前記端末装置の間の通信信号をデジタル化し、
制御情報に用いるチャネルと、複数の相互通信に用いるチャネルとによって構成し、
前記制御情報に送信する信号の属性を示す情報と、通信チャネルで通信したい情報とを伝送し、
前記端末装置が、信号処理装置によって受信信号を一次記憶し、
前記制御情報を参照して情報を変換し、新たな情報を生成し、
回線利用効率を引き上げるようにしたことを特徴とするデジタル防災無線システム。
【手続補正２】
【補正対象書類名】明細書
【補正対象項目名】０００７
【補正方法】変更
【補正の内容】
【０００７】
【課題を解決するための手段】
本発明は、上記の課題を克服するために、デジタル化により通信の高速化を実現し、タイムスロットの可変割付を行い、より多くの回線を実現し、平常時と災害時とで回線割付やタイムスロットの使用方法を変更させて、通信媒体としての活用を図るものである。このように、デジタル化した防災無線の通信方式によって、利用度が高い実用的なシステムを構築し、無線システムの高度化を実現することが出来る。従って、従来はアナログ方式を採用していたために、システムで使用可能な周波数が限られているため双方向通信が実現できなかったが、本発明により、同一無線チャネル数内で使用可能回線を増やし、さらに、トラフィックに合わせて、通信スロットを効率よく可変割付し、無線チャネルの有効利用を図り、利便性の高い防災システムを実現することが可能となり、少ない投資額でより有効なシステムの実現が図れる。
【手続補正３】
【補正対象書類名】明細書
【補正対象項目名】０００９
【補正方法】変更
【補正の内容】
【０００９】
したがって、この発明によれば、防災無線システムの回線割付制御を行うセンタ装置と指示された回線で相互に通信を行う複数の端末装置で構成され、センタ装置と端末装置の通信をデジタル化し、通信路を制御情報用チャネルと複数の相互通信用チャネルで構成し、制御情報チャネルで音声符号化の速度や通信に使用するチャネル数や方向性を指定することができる。
【手続補正４】
【補正対象書類名】明細書
【補正対象項目名】００１８
【補正方法】変更
【補正の内容】
【００１８】
また、この発明は、防災無線システムの回線割付制御を行うセンタ装置と、指示された回線で相互に通信を行う複数の端末装置と、によって構成されるデジタル防災無線システムであって、前記防災無線システムでデジタル化し、周波数とタイムスロットを組み合わせて複数の通信スロットを構成する通信チャネル内を、前記端末装置の使用分として開示する相互通信情報と、前記端末装置に開示しないシステム使用分である制御情報とに分け、回線割付制御を行うセンタ装置から指示された回線により、相互に通信を行う複数の前記端末装置への制御情報分に対して、使用スロット数を示す情報を組み込むことを特徴とするデジタル防災無線システムである。
【手続補正５】
【補正対象書類名】明細書
【補正対象項目名】００１９
【補正方法】変更
【補正の内容】
【００１９】
したがって、この発明によれば、通信チャネル内をユーザ利用分とシステム使用分に分け、システム分に使用スロット数を示す情報を組み込む防災無線システムを構築することが出来る。